(57)【要約】【課題】【解決手段】ヒンジ止めした頂部要素１２と、合わさる底部要素との間の境界面に完全なガスケット６２を有する耐火性要素１４である。要素１２、１０は、絶縁され且つ、合わさり可能なラビリンス縁部が形成されている。縁部の１つには、ラビリンスの溝５４内に配置された滑らかで柔軟なガスケット６２が設けられており、該ガスケットは、反対側の縁部に相応するリブ６０に対するシールを形成する。要素１２、１０は、ヒンジ１８により共通の側部に沿って接続され、該ヒンジの回転軸線１６は、ガスケット６２及びリブ６０に対する空間内に配置され、容器１４を閉じるとき、ガスケット６２が全ての箇所でリブ６０と実質的に同時に係合する。ヒンジ止めした要素１２、１０は中心線上掛止め部２８、３０により固定され、容器１４が完全に閉じられたとき、リブ６０は、ガスケット６２に対し僅かで且つ実質的に均一な力を加え、火及び水に対するシールを形成する。
2004536245.tif 000002
【特許請求の範囲】
【請求項１】
火及び水の侵入に対して抵抗可能な容器において、
ａ）絶縁材料により隔てられた内側殻体及び外側殻体を有し、火及び水による損傷から遮蔽し得るように材料を受け入れる前記内側殻体のウェル及び該ウェルを取り巻く第一の封止造作部を有する底部要素と、
ｂ）絶縁材料により隔てられ且つ前記第一の封止造作部と対向可能な第二の封止造作部を有する頂部要素とを備え、
前記頂部要素及び底部要素が、ヒンジにより接続され、前記第一及び第二の封止造作部の一方が、第一の平面内に含められた面を有する弾性的ガスケットを含み、前記第一及び第二の造作部の他方が第二の平面内に含められた前記ガスケットと合わさるリブを有し、前記容器を閉じる間、前記リブが前記ガスケットと合わさるとき、前記平面が実質的に平行となるように前記ヒンジが前記平面に対して配置される、容器。
【請求項２】
前記ガスケットが低デュロメータ硬さのエラストマーにて形成される、請求項１に記載の容器。
【請求項３】
前記エラストマーが、エチレンプロピレンジエンモノマー及びネオプレンから成る群から選ばれる、請求項２に記載の容器。
【請求項４】
前記ガスケットが、平滑面と、セル状内部とを有するように形成される、請求項２に記載の容器。
【請求項５】
前記ガスケットが中空である、請求項４に記載の容器。
【請求項６】
前記頂部及び底部の外側殻体がある着火温度を有する熱可塑性樹脂にて形成され、前記ガスケットを備える弾性材料が前記着火温度以下の軟化温度を有する、請求項１に記載の容器。
【請求項７】
前記第一の封止造作部が前記リブを有し、前記第二の封止造作部が前記ガスケットを有する、請求項１に記載の容器。
【請求項８】
前記第一の封止造作部が前記ガスケットを有し、前記第二の封止造作部が前記リブを有する、請求項１に記載の容器。
【請求項９】
前記容器を閉じた位置に固定し得るように前記頂部要素及び底部要素に配置された掛止め手段を更に備える、請求項１に記載の容器。
【請求項１０】
前記容器が耐火性及び耐水性金庫として使用するのに適するように係止手段を更に備える、請求項９に記載の容器。
【請求項１１】
火及び水の侵入に対する抵抗可能な容器において、
ａ）絶縁材料により隔てられた内側殻体及び外側殻体を有し、火及び水による損傷から遮蔽し得るように材料を受け入れる前記内側殻体のウェルと、該ウェルを取り巻く第一の封止部材とを有する底部要素と、
ｂ）絶縁材料により隔てられ且つ前記第一の封止造部材と対向可能な第二の封止部材を有する頂部要素とを備え、
ｄ）第一の封止部材が弾性的ガスケットを備え、第二の封止部材がリブを備え、弾性的ガスケットが、第一の平面内に含められた面と、第二の平面内に含められたリブとを有し、
ｃ）頂部要素及び底部要素に結合されたヒンジであって、中心線外に配置され且つガスケット又はリブに近接する回転軸線を有し、前記リブが、前記容器を閉じる間、前記ガスケットと合わさるとき、前記平面が実質的に平行となるようにする前記ヒンジを備える、容器。
【請求項１２】
弾性的ガスケットには、その全長に亙って軽く且つ均一に負荷が加えられ、ヒンジの軸線が弾性的ガスケットを保持する平面内に又はその近くに位置する、請求項１１に記載の容器。
【発明の詳細な説明】
【技術分野】
【０００１】
本発明は、耐火性容器、より具体的には、耐火金庫、最も具体的には、耐火性で且つ耐水性の金庫容器に関する。
【背景技術】
【０００２】
その中身を火災のような外部の熱源による損傷から一時的に保護する容器が周知である。かかる容器は、当該技術分野の当業者にて「耐火性」と称され、典型的に、特定の露出温度及び（又は）時間に亙って完全さの点で定格値が定められている。施錠可能な耐火性容器は、耐火「金庫」として既知であり、高温に曝すことにより損傷される又は破壊される可能性のある書類又はその他の貴重品を保管するため広く使用されている。例えば、かかる耐火金庫の色々なモデルのものは、米国、ニューヨーク州１４６２５、ロチェスターのセントリーグループ（Ｓｅｎｔｒｙ  Ｇｒｏｕｐ）から入手可能である。
【０００３】
典型的な頂部開放式耐火金庫は、要素の間に格納キャビティを形成し得るように共にヒンジ止めされ且つ取り外し可能に掛止めされた頂部要素及び底部要素を有している。要素の各々は、最初、中空であり、吹込み成形又はその他の既知の成形手段により便宜に形成することができる内側及び外側殻体を有している。殻体間の要素の各々の内部には、典型的に、顕著に水和化したポルトランドセメントのような不燃性で耐火性の断熱材料が充填されている。殻体は、水の沸点よりも高い融点を有する重合系樹脂で形成されており、水和化は、殻体、特に、外側殻体を長時間溶融又は着火するのを防止する。例えば、その開示内容の関連部分を参考として引用し本明細書に含めた、ロビンス（Ｒｏｂｂｉｎｓ）らに１９９４年３月２２日付けで発行された米国特許第５，２９５，４４７号、及び参考として引用し本明細書に含めた色々なその他の米国特許に開示されたような耐火金庫を参照するとよい。
【０００４】
従来技術の耐火金庫を使用するときに遭遇する共通の問題点は、これら金庫が消火の間、消火ホースからの水にて水浸しになる可能性があることである。水はヒンジ及び抱きを通って金庫の内部に染み込み、さもなければ、火災による損傷から保護されたであろう中身を台無しにする。かかる金庫は、頂部要素と底部要素との間の境界面における弾性的な封止ガスケットのような水の侵入に対する特定の障壁を何ら備えていない。例えば、ビアット（Ｂｅａｔｔｉｅ）らに対して１９８５年９月１７日付けで発行された米国特許第４，５４１，５４５号の関連する開示内容を参照するとよい。
【０００５】
耐火金庫を防水性にもする１つの方策は、抱き及び相応するガスケットが頂部要素及び底部要素の合わさる部分の全周の周りに提供される、水中で使用することを目的とする既知の「潜水箱」の構造にて見られる。外部ヒンジは頂部要素及び底部要素を接続し、カバーは、ガスケットが極めて圧縮されるように１つ又は２つ以上の中心線上掛止め部により係止される。
【０００６】
外側殻体が火災によって漸進的に破壊される耐火性及び耐水性容器にこの構造を適用させるとき問題が生ずる。ヒンジ又は掛止め部の何れかが最初に焼け落ちたとき、ガスケットは極めて圧縮されるため、ガスケットの弾性によって金庫は水シールを破壊するのに十分にばね動作して開く可能性がある。更に、ヒンジの軸線が封止面を保持する面内に又はその面の付近に位置するならば、ヒンジに最も近い面を含む領域は、金庫が閉じられる間、最も速く係合状態となり、ガスケットは、最終的に、掛止め部の領域よりもその領域内で一層圧縮される。このように、ヒンジが焼け落ちたならば、掛止め部は依然として完全であるにも拘らず、金庫は開いて、中身を火災及び（又は）水に対して曝すことになる。
【０００７】
頂部要素と底部要素との間の境界面にガスケットを有し、これら要素は共にヒンジ止めされ且つ掛止めされ、ガスケットは、その全長に亙って僅かに且つ均一に負荷が加えられ、ヒンジ及び（又は）掛止め部が破壊されたとき、要素の間の耐火性及び耐水性シールが維持されるようにする、耐火性で且つ耐水性の容器が必要とされている。
【０００８】
本発明の主目的は、書類又はその他の貴重品を保管するための改良された耐火性で且つ耐水性の金庫を提供することである。
【発明の概要】
【０００９】
本発明は、高度に絶縁したその頂部要素と底部要素との間の境界面にて完全なガスケットを有し、これらの頂部要素及び底部要素がその内部の格納空間まで回転して閉じられる耐火性容器に関する。これら要素の各々には、開放した側部を取り巻くラビリンス縁部が形成されており、これら要素は、縁部に沿って合わさり可能に接触する。縁部の１つ、好ましくは、頂部要素の縁部には、ラビリンスの溝内に配置された滑らかで柔軟なガスケットが設けられており、該ガスケットは、対向する縁部の相応するリブに対するシールを形成する。これら要素は、少なくとも１つのヒンジにより第一の共通の側部、好ましくは後側部に沿って接続され、該ヒンジの回転軸線は、ガスケット及びリブに対する空間内に配置され、容器を閉じるとき、ガスケットが全ての箇所にてリブに実質的に同時に係合するようにする。要素は、中心線上掛止め手段により第二の共通の側部、好ましくは前側側部に沿って固定され、容器が完全に閉じられたとき、リブがガスケットに対して小さく且つ実質的に均一な力を加えるようにする。火に露呈されたとき、ヒンジ及び（又は）掛止め部は、ガスケットとリブとの間のシールを破断させずに破壊し、これにより容器の耐火性及び耐水性を維持する。頂部開放式の実施の形態において、頂部要素の重量は、ヒンジ及び掛止め部の重力の抑制力から自由にされたとき、ガスケットをリブに更に圧縮して、封止効果を向上させる。更に好ましい１つの実施の形態において、外側殻体が熱によって破壊される間、ガスケット材料が所要位置に溶融するように選ばれ、これにより容器の完全さを向上させる粘性シールを形成する。好ましくは、ガスケット材料は、溶融したとき比較的少量の煤を発生し、シールは、ガスケットの露出した外面から発生された全ての煤が容器に入り且つ容器を損傷させるのを防止する。
【００１０】
本発明の上記及びその他の目的、特徴並びに有利な点、及びその現在の好ましい実施の形態は、添付図面と共に以下の説明を読むことにより一層明らかになるであろう。
【好ましい実施の形態の説明】
【００１１】
図１から図４を参照すると、本発明による耐火性及び耐水性容器１４の底部要素１０及び頂部要素１２は、要素１０、１２の後外面２０、２２に沿ってそれぞれ伸びるヒンジ１８の軸線である枢動軸線１６に沿って枢動する。ヒンジ１８は、要素１０に形成された雌型端部材２４と、部材２４の凹所内に挿入しヒンジを完成させるべく要素１２に形成された雄型中心部材２６とを有している。要素１０、１２には、図４に示すように、互いに掛止めして容器１４をそれぞれ閉じる第一及び第二の掛止め要素２８、３０が更に設けられている。掛止め要素２８、３０の各々には、従来の係止可能な閉塞体（図示せず）を受け入れるスロット３２が設けられている。好ましくは、掛止め要素は、当該技術にて周知であり、従って更に説明する必要のない従来の中心線上機構を備えるものとする。
【００１２】
底部要素１０は、耐火性絶縁材料３８、好ましくは水和化ポルトランドセメントにて充填される空間により分離された外側殻体３４及び内側殻体３６を有している。殻体３４、３６は、金属で形成することもできるが、水の沸点よりも高い融点を有する熱可塑性樹脂にて形成されることが好ましい。好ましくは、従来の吹込み成形法による樹脂殻体３４、３６の成形及び空間への絶縁体の充填は、参考として引用し本明細書に含めた参考文献に詳細に記載されている。殻体３４、３６は、殻体３６のウェル４２を取り巻くニット線４０に沿ってプラスチック溶接等により接続される。ウェル４２は、容器１４内に格納される材料に対する格納キャビティである。
【００１３】
底部要素１０と同様に、頂部要素１２は、耐火性絶縁性材料３８が充填される空間により分離された外側殻体４４及び内側殻体４６を有している。殻体４４、４６は、金属で形成することができるが、水の沸点よりも高い融点を有する熱可塑性樹脂にて形成されることが好ましい。樹脂殻体４４、４６は、殻体３４、３６と同一の仕方にて形成され且つ充填される。殻体４４、４６は、殻体４６の浅いウェル５４を取り巻く線４８に沿ってプラスチック溶接等によって接続されている。
【００１４】
内側殻体３６、４６の双方には、外側殻体３４、４４の内面まで伸びる円錐形凹所５１が設けられている。凹所５１は、頂部要素及び底部要素の内側殻体と外側殻体の間に所定の間隔を維持する構造的補強部を提供する。かかる補強部は、殻体の間で曲がるのを防止し、要素を所定の量の液体絶縁性材料にて充填することを可能にし、また、硬化した絶縁性材料を要素内に固定するのを助ける。
【００１５】
要素１０、１２の間には、以下のようなラビリンスガスケットシールが提供される。図２から図５に図示するように、外側リッジ５６により取り巻かれた中間溝５４により取り巻かれた内側リッジ５２を有する頂部内側殻体４６が形成され、これら造作部の全ては、ウェル５０を取り巻き且つウェルに対するラビリンス縁部を画成する。図１、図３、図４及び図６に図示するように、丸味を付けたリブ６０によって取り巻かれたリッジ５８を有する底部外側殻体３４が形成され、その双方の造作部は、ウェル４２を取り巻き且つ該ウェルに対する縁部を画成する。無端のガスケット６２が溝５４内に圧力嵌めされてリブ６０に対して合わさり、図４に示すように、容器１４が閉じられたとき、耐火性で且つ耐水性のシールを形成する。
【００１６】
ガスケット６２は、例えば、エチレンプロピレンジエンモノマー（ＥＰＤＭ）又はネオプレンのような極めて低デュロメータで且つ柔軟なエラストマーで出来ている。ガスケットは、リブ６０に対するシールを形成するのに十分に弾性的であるが、ヒンジ又は掛止め部が火によって破壊されたとき、頂部要素１２をリブ６０から変位させ又は押し出すには十分に弾性的ではないことが本発明の１つの特徴である。滑らかな外面及びセル状の内部を有するガスケット６２が形成されることが好ましい。ガスケットは、任意の所望の断面形状を有することもできるが、直線状とし、且つ図４から図６に図示するように、Ｏリングのような円形であることが好ましい。ガスケットは、構造体の全体を通じて均一であり又は図６に示すように、中空の中心を有することもできる。
【００１７】
同様の従来技術のシールの欠点は、ヒンジに最も近い封止リブの領域が実質的に非直交状態にてガスケットに係合する点である。このことは、リブがガスケットを巻き、これによりガスケットが変形し且つ（又は）変位する可能性を生ずる。更に、リブ及びガスケットのかかる不均一な係合の結果、ガスケットは、ヒンジに最も近い領域内でより大きく圧縮される可能性がある。かかる不均一な圧縮は、ヒンジが火によって破壊されたとき、頂部要素が底部要素からばね動作して離れ、これにより容器の中身を火災及び（又は）水に露呈させる可能性があることは既知である。このため、容器が閉じられたとき、ガスケット６２は、リブ６０に沿った全ての位置にて実質的に瞬間的にリブ６０と接触するようにリブ６０の上面に対する軸線１６の位置及び頂部要素１２の形態が共に選ばれることが本発明による容器の１つの特徴である。換言すれば、リブ６０及びガスケット６２の面を含む平面は、接触する瞬間には、実質的に平行である。
【００１８】
勿論、当該技術分野の当業者には、図１から図６に示したラビリンスシールは、ガスケット−軸受の造作部を底部要素に形成し、合わさるリブを頂部要素に形成することにより、等しく効果的であるように形成することができ且つ、本発明の範囲に属することが明らかである。
【００１９】
作動時、閉じたられたとき、容器１４は、ガスケット６２に対するリブ６０の実質的に均一な圧力を支持し、ウェル４２、５０内への火又は水の侵入に対するシールを形成する。高度に水和化したポルトランドセメント絶縁体は、容器が火に露呈されたとき、大きい熱リザーバを提供し且つ水が沸騰する間、外側殻体の顕著な火による損傷を防止する。殻体の樹脂の着火温度より低い温度のとき、ガスケットは軟化し始める。ヒンジ及び（又は）掛止め部が火によって破壊されたとき、頂部要素は、重力を利用してリブ６０内に更に沈下し、軟化したガスケットはリブの周りで一層より緊密に封止する。ガスケットの外側部分が最終的に分解し且つ燃え始めたとき、分解による炭素系組成物が容器１４に入ることは改良された封止効果により防止される。
【００２０】
本発明の好ましい実施の形態の上記の説明は、図示し且つ説明のために記載したものである。これは限定的なものではなく、また、本発明の開示された正確な形態に限定することを意図するものではない。当該技術分野の当業者には、開示した実施の形態は上記の開示に鑑みて改変が可能であることは明らかであろう。記載した実施の形態は、本発明の原理及びその実際的な適用例を示し、これにより当該技術分野の当業者は本発明を色々な形態にて利用し、また、考えられる特定の用途に合うように色々な改変を加えることが可能であるようにするために選んだものである。従って、上記の説明は、限定的ではなく、一例として見なすべきであり、本発明の真の範囲は、特許請求の範囲に記載されているものである。
【図面の簡単な説明】
【００２１】
【図１】本発明による耐火性で且つ、耐水性の容器の底部要素を上方から見たときの等角図である。
【図２】本発明による耐火性で且つ、耐水性の容器の頂部要素を上方から見たときの等角図である。
【図３】耐火性で且つ、耐水性の容器を形成し得るようにヒンジ止めした、図１及び図２に示す底部要素及び頂部要素の立面断面図である。
【図４】閉じた位置にある、図３に示したものと同様の立面断面図である。
【図５】図３の円５の部分からの詳細な断面図である。
【図６】図３の円６の部分からの詳細な断面図である。
【国際公開パンフレット】
2004536245.tif 000003
2004536245.tif 000004
2004536245.tif 000005
2004536245.tif 000006
2004536245.tif 000007
2004536245.tif 000008
2004536245.tif 000009
2004536245.tif 000010
2004536245.tif 000011
2004536245.tif 000012
2004536245.tif 000013
2004536245.tif 000014
2004536245.tif 000015
2004536245.tif 000016
2004536245.tif 000017
2004536245.tif 000018
【国際公開パンフレット（コレクトバージョン）】
2004536245.tif 000019
2004536245.tif 000020
【手続補正書】
【提出日】平成15年2月25日(2003.2.25)
【手続補正１】
【補正対象書類名】特許請求の範囲
【補正対象項目名】全文
【補正方法】変更
【補正の内容】
【特許請求の範囲】
【請求項１】
火及び水の侵入に対して抵抗可能な容器において、
ａ）絶縁材料により隔てられた内側殻体及び外側殻体を有し、火及び水による損傷から遮蔽し得るように材料を受け入れる前記内側殻体のウェル開口部及び該ウェル開口部を完全に取り巻く上端縁を平面内にて有する底部要素と、
ｂ）絶縁要素により隔てられた内側及び外側殻体を有する頂部要素であって、前記内側殻体におけるウェル開口部と、該頂部要素のウェル開口部を完全に取り巻き且つ底部要素の上方端縁に対向する平面内の下方端縁とを有する頂部要素と、
ｃ）頂部要素が底部要素に対して枢動するのを可能にし得るように前記頂部要素及び底部要素を接続するヒンジ手段とを備え、前記端縁の一方が該端縁の全長に沿って弾性的なガスケットを有し且つその平面内に含まれた表面を有し、前記端縁の他方が前記ガスケットと合わさるように端縁の全長に沿ってその平面内にリブを有し、前記リブが前記ガスケットと合わさるとき、前記平面が実質的に平行であり、前記容器を閉じたとき、リブがガスケットの全長に沿って実質的に均一な圧力を加えて、ガスケットを実質的に均一に圧縮することによりリブの全長の周りで緊密に封止するように前記ヒンジ手段が前記平面に対して配置されるようにした、火及び水の侵入に対して抵抗可能な容器。
【請求項２】
前記ガスケットが低デュロメータ硬さのエラストマーにて形成される、請求項１に記載の容器。
【請求項３】
前記エラストマーが、エチレンプロピレンジエンモノマー及びネオプレンから成る群から選ばれる、請求項２に記載の容器。
【請求項４】
前記ガスケットが、平滑面と、セル状内部とを有するように形成される、請求項２に記載の容器。
【請求項５】
前記ガスケットが中空である、請求項４に記載の容器。
【請求項６】
前記頂部及び底部の外側殻体がある着火温度を有する熱可塑性樹脂にて形成され、該着火温度が前記ガスケットの着火温度よりも高く、ガスケットが火によって損傷されたとき、リブの周りをより緊密に封止するようにした、請求項１に記載の容器。
【請求項７】
底部要素の端縁が前記リブを有し、頂部要素の端縁が前記ガスケットを有する、請求項１に記載の容器。
【請求項８】
底部要素の端縁が前記ガスケットを有し、頂部要素の端縁が前記リブを有する、請求項１に記載の容器。
【請求項９】
前記容器を閉じた位置に固定し得るように前記頂部要素及び底部要素に配置された掛止め手段を更に備える、請求項１に記載の容器。
【請求項１０】
前記容器が耐火性及び耐水性金庫として使用するのに適するように係止手段を更に備える、請求項９に記載の容器。
【請求項１１】
前記ヒンジ手段が頂部要素及び底部要素に結合され且つ、中心線外に配置され且つ底端縁の平面の下方で回転軸線を有する、請求項１に記載の容器。特許請求の範囲を差し替えた。
【国際調査報告】
2004536245.tif 000021
2004536245.tif 000022